【手続補正書】
【提出日】平成17年11月10日(2005.11.10)
【手続補正１】
【補正対象書類名】明細書
【補正対象項目名】特許請求の範囲
【補正方法】変更
【補正の内容】
【特許請求の範囲】
【請求項１】  着色された眼用成形体の製造方法であり、
（ａ）架橋又は重合し得る基を有する水可溶性ポリマー前駆体を準備する工程、
（ｂ）無機又は有機顔料及び分散剤を含む顔料分散体を準備する工程、
（ｃ）顔料分散体とポリマー前駆体とを混合して着色されたプレ重合混合物を形成させる工程、
（ｄ）着色されたプレ重合混合物を成形用型に計量分配する工程、
（ｅ）成形用型の中の着色されたプレ重合混合物に放射線を適用してポリマー前駆体を架橋又は重合し、得られた眼用成形体の高分子網状構造の中へ顔料を封じ込める工程、及び
（ｆ）成形用型を開いて眼用成形体を成形用型から取り出す工程、
を含むことを特徴とする方法。
【請求項２】  眼用成形体が、コンタクトレンズである、請求項１記載の方法。
【請求項３】  水可溶性前駆体が、少なくとも２０００の重量平均分子量を有する架橋し得るポリビニルアルコールである、請求項１又は２記載の方法。
【請求項４】  水可溶性ポリマー前駆体が、ポリビニルアルコールのヒドロキシ基の数に基づいて、式Ｉ：
【化１】
2001523834.tif 000001
（式中、
Ｒは、炭素数８までを有するアルキレンであり、
Ｒ1は、水素又は低級アルキルであり、そして
Ｒ2は、オレフィン性不飽和電子求引性の共重合し得る基である）
の単位０．５％〜８０％を含む、少なくとも２０００の重量平均分子量を有するポリビニルアルコールである、請求項１〜３のいずれか１項記載の方法。
【請求項５】  水可溶性ポリマー前駆体が、ポリビニルアルコールのヒドロキシ基の数に基づいて、式III：
【化２】
2001523834.tif 000002
（式中、
Ｒは、炭素数８までを有するアルキレンであり、
Ｒ1は、水素又は低級アルキルであり、
ｐは、０又は１であり、
ｑは、０又は１であり、
Ｒ3は、炭素数２〜８を有するオレフィン性不飽和の共重合し得る基であり、そして
Ｒ4及びＲ5は、互いに独立して、それぞれ炭素数２〜８を有するアルキレン、炭素数６〜１２を有するアリーレン、炭素数７〜１４を有する飽和二価脂環式基又は炭素数１３〜１６を有するアリーレンアルキレンアリーレンである）
の単位０．５〜８０％を含む、少なくとも２０００の重量平均分子量を有するポリビニルアルコールである、請求項１〜４のいずれか１項記載の方法。
【請求項６】  Ｒが炭素数６までを有するアルキレンであり、ｐが０であり、そしてＲ3が炭素数２〜８を有するアルケニルである、請求項４又は５記載の方法。
【請求項７】  工程（ａ）の水可溶性ポリマー前駆体が、１５〜５０重量％水溶液の形態で準備される、請求項１〜６のいずれか１項記載の方法。
【請求項８】  工程（ｂ）の顔料が、フタロシアニン顔料である、請求項１〜７のいずれか１項記載の方法。
【請求項９】  工程（ｂ）の顔料分散体が、顔料並びに（ａ）のポリマー前駆体、ポリアクリル酸及び非架橋性ポリビニルアルコールからなる群から選択される水可溶性ポリマー分散剤を含む水性分散体である、請求項１〜８のいずれか１項記載の方法。
【請求項１０】  工程（ｂ）の顔料分散体が、フタロシアニン顔料並びに（ａ）のポリマー前駆体及び非架橋性ポリビニルアルコールからなる群から選択される水可溶性ポリマー分散剤を含む水性分散体である、請求項１〜９のいずれか１項記載の方法。
【請求項１１】  ポリマー前駆体及び場合により工程（ｃ）のプレ重合混合物に存在するコモノマーの全重量に基づいて、顔料が、０．０００１〜０．０５重量％である、請求項１〜１０のいずれか１項記載の方法。
【請求項１２】  光開始剤が、工程（ｃ）のプレ重合混合物に添加される、請求項１〜１１のいずれか１項記載の方法。
【請求項１３】  工程（ｃ）のプレ重合混合物が、コモノマーを持っていない、請求項１〜１２のいずれか１項記載の方法。
【請求項１４】  工程（ｅ）のポリマー前駆体の架橋及び／又は重合並びに顔料の封じ込めが、５分以下の時間で起こる、請求項１〜１３のいずれか１項記載の方法。
【請求項１５】  （ａ）架橋又は重合し得る基を有するポリビニルアルコール水溶液を準備する工程、
（ｂ）銅フタロシアニン顔料を含む水性分散体を準備する工程、
（ｃ）ポリビニルアルコール溶液と顔料分散体とを混合して着色されたプレ重合混合物を形成させる工程、
（ｄ）着色されたプレ重合混合物を成形用型に導入する工程、
（ｅ）成形用型の中の着色されたプレ重合混合物に放射線を適用してポリマー前駆体を架橋又は重合し、得られたコンタクトレンズの高分子網状構造の中へ顔料を封じ込める工程、及び
（ｆ）成形用型を開いて着色されたコンタクトレンズを成形用型から取り出す工程、
を含む、着色されたコンタクトレンズを製造する請求項１記載の方法。
【請求項１６】  （ａ）ポリビニルアルコールのヒドロキシ基の数に基づいて、式Ｉ：
【化３】
2001523834.tif 000003
（式中、
Ｒは、炭素数８までを有するアルキレンであり、
Ｒ1は、水素又は低級アルキルであり、そして
Ｒ2は、オレフィン性不飽和電子求引性の共重合し得る基である）
の単位０．５％〜８０％を含む、少なくとも２０００の重量平均分子量を有するポリビニルアルコールプレポリマーの１５〜４０重量％水溶液を準備する工程、
（ｂ）銅フタロシアニン顔料並びに工程（ａ）のポリビニルアルコールプレポリマー、ポリアクリル酸及び非架橋性ポリビニルアルコールからなる群から選択される分散剤を含む水性分散体を準備する工程、
（ｃ）工程（ａ）のプレポリマー溶液と工程（ｂ）の顔料分散体とを混合して着色されたプレ重合混合物を形成させる工程、
（ｄ）着色されたプレ重合混合物を成形用型に導入する工程、
（ｅ）成形用型の中のプレ重合混合物に放射線を５分間以下で適用してポリマー前駆体を架橋又は重合し、得られたコンタクトレンズの高分子網状構造の中へ顔料を封じ込める工程、及び
（ｆ）成形用型を開いて着色されたコンタクトレンズを成形用型から取り出す工程、
を含む、着色されたコンタクトレンズを製造する、請求項１記載の方法。
【請求項１７】  （ａ）ポリビニルアルコールのヒドロキシ基の数に基づいて、式III：
【化４】
2001523834.tif 000004
（式中、
Ｒは、炭素数６までを有するアルキレンであり、
Ｒ1は、水素又は炭素数４までを有するアルキルであり、
ｐは、０であり、そして
Ｒ3は、炭素数２〜８を有するアルケニルである）
の単位０．５％〜８０％を含む、少なくとも２０００の重量平均分子量を有するポリビニルアルコールプレポリマーの２０〜４０重量％水溶液を準備する工程、
（ｂ）銅フタロシアニン顔料並びに工程（ａ）のポリビニルアルコールプレポリマー及び非架橋性ポリビニルアルコールからなる群から選択される分散剤を含む水性分散体を準備する工程、
（ｃ）工程（ａ）のプレポリマー溶液及び工程（ｂ）の顔料分散体並びに追加の光開始剤を混合して、ポリマー前駆体の全重量に基づいて０．０００１〜０．０５重量％のフタロシアニン顔料を含有する着色されたプレ重合混合物を形成させる工程、
（ｄ）着色されたプレ重合混合物を成形用型に導入する工程、
（ｅ）成形用型の中のプレ重合混合物に放射線を１分間以下で適用してポリマー前駆体を架橋又は重合し、得られたコンタクトレンズの高分子網状構造の中へ顔料を封じ込める工程、及び
（ｆ）成形用型を開いて着色されたコンタクトレンズを成形用型から取り出す工程、
を含む、抽出なしでヒトの眼に挿入することに適している、着色されたコンタクトレンズを製造する請求項１記載の方法。
【請求項１８】  請求項１〜１７のいずれか１項記載の方法により形成された眼用成形体。
【手続補正２】
【補正対象書類名】明細書
【補正対象項目名】００２８
【補正方法】変更
【補正の内容】
【００２８】
アリーレンＲ4又はＲ5は、好ましくは非置換であるか又は低級アルキル若しくは低級アルコキシにより置換されているフェニレンであり、特に１，３−フェニレン、１，４−フェニレン若しくはメチル−１，４−フェニレンである。